(57)【要約】【課題】  通信インターフェースを介して映像データを伝送する場合に、表現能力を向上させることができる画像出力装置を提供すること。【解決手段】  画像データを出力する画像出力手段を有する装置において、前記画像データと関連する付加情報を出力する付加情報出力手段を有し、前記付加情報は、前記画像データに関連する色補正係数と、色補正値を適応させる領域とを関連づけた領域色補正情報を出力することを特徴とする。【選択図】図１
2020101721.tif 000002
【特許請求の範囲】
【請求項１】
画像データを出力する画像出力手段を有する装置において、
前記画像データと関連する付加情報を出力する付加情報出力手段を有し、
前記付加情報は、前記画像データに関連する色補正係数と、色補正値を適応させる領域とを関連づけた領域色補正情報を出力することを特徴とする画像出力装置。
【請求項２】
前記付加情報出力手段は、前記画像出力手段における画像データ送信期間ではないブランキング期間を用いて付加情報を出力する機能を有し、前記領域色補正情報は前記ブランキング期間に送信することを特徴とする請求項１に記載の画像出力装置。
【請求項３】
前記付加情報出力手段は、同一画像データに対して複数の前記領域色補正情報を付加することを特徴とする請求項１に記載の画像出力装置。
【請求項４】
前記領域色補正情報を複数出力する場合に、色補正する優先順位を示すプライオリティ情報が含まれることを特徴とする請求項３に記載の画像出力装置。
【請求項５】
前記画像データ内に含まれる画像の枚数に応じて、前記領域色補正情報を出力することを特徴とする請求項１に記載の画像出力装置。
【請求項６】
前記画像データ内に含まれる画像のサイズに応じて、前記領域色補正情報を出力することを特徴とする請求項１に記載の画像出力装置。
【請求項７】
前記画像データの出力先である外部機器の色補正能力情報を取得する外部機器色補正能力取得手段を有することを特徴とする請求項３に記載の画像出力装置。
【請求項８】
前記外部機器色補正能力取得手段によって取得した色補正能力情報に応じて、出力する前記画像データに警告表示を合成する画像合成手段を有することを特徴とする請求項７に記載の画像出力装置。
【請求項９】
前記外部機器色補正能力取得手段によって取得した色補正能力情報に応じて、前記付加情報出力手段によって付加する前記領域色補正情報の個数を変更することを特徴とする請求項７に記載の画像出力装置。
【請求項１０】
前記外部機器色補正能力取得手段によって取得した色補正能力情報に応じて、前記画像データに含まれる画像数を変更することを特徴とする請求項７に記載の画像出力装置。
【発明の詳細な説明】
【技術分野】
【０００１】
本発明は、画像データをＴＶモニタ等の外部機器に出力する装置に関する。
【背景技術】
【０００２】
映像を表示するテレビやモニタなどの表示機器では、いままで自然界に存在する輝度差を表現することが難しかった。しかしながら、液晶テレビのバックライトとして高輝度なＬＥＤを採用できるようになったことで、明暗差が拡大しＨＤＲ（Ｈｉｇｈ  Ｄｙｎａｍｉｃ  Ｒａｎｇｅ）機能に対応するものが注目されている。
【０００３】
また、表示能力を向上させるために、適切な色合いで表示する表示機器も発案されている（特許文献１）。
【０００４】
このように、表現能力が向上しているテレビやモニタと、チューナーやデジタルレコーダーなどの画像再生機器との間で、映像データを伝送するインターフェースとしてＤＶＩやＨＤＭＩ（登録商標）、ＳＤＩなどの通信インターフェース規格がある。この通信インターフェース規格では、伝送帯域から画像データの色深度が８ビットや１０ビットと規定されており、画像データの色空間においても伝送フォーマットによって規定されている。
【先行技術文献】
【特許文献】
【０００５】
【特許文献１】特開２００２−１９６７４４号公報
【発明の概要】
【発明が解決しようとする課題】
【０００６】
機器間で上述の背景技術にあるような通信インターフェースを使用して映像データを伝送する場合には、色深度や色空間を伝送フォーマットに合わせて色変換、ガンマ補正等の処理を施して伝送する必要がある。伝送された映像データは、表示機器側で伝送フォーマットに合わせた逆ガンマ補正等がほどこされた後に表示される。
【０００７】
コンテンツも表示機器も人間が見た印象に近い映像を表現する性能がありながらも、通信インターフェースを介するために、色変換、ガンマ補正等の処理を行う必要があり、
本来の情報や表現能力が損なわれてしまう問題がある。
【０００８】
本発明は、上述の問題を鑑みてなされたもので、通信インターフェースを介して映像データを伝送する場合に、表現能力を向上させることができる画像出力装置を提供することを目的とする。
【課題を解決するための手段】
【０００９】
上記の目的を達成するために、本発明に係る画像出力装置は、
画像データを出力する画像出力手段を有する装置において、前記画像データと関連する付加情報を出力する付加情報出力手段を有し、前記付加情報は、前記画像データに関連する色補正係数と、色補正値を適応させる領域とを関連づけた領域色補正情報を出力することを特徴とする。
【発明の効果】
【００１０】
本発明に係る画像出力装置によれば、転送する画面内の領域単位に色補正値を付加して送信し、テレビ側で領域単位に色補正をおこなうことで、コンテンツのもつ色空間の再現能力が向上する。
【図面の簡単な説明】
【００１１】
【図１】画像出力装置１００のハードウェアブロック図
【図２】通常のマルチインデックス画像出力動作のイメージ図
【図３】ｘｙ色度図
【図４】領域色補正情報付加マルチインデックス動作のイメージ図
【図５】画像出力装置１００から出力されるデータのイメージ図
【図６】領域色補正情報付加マルチインデックス動作フローチャート
【図７】警告表示をする場合のマルチインデックス動作のイメージ図
【図８】領域色補正情報数を変更する場合のマルチインデックス動作のイメージ図
【発明を実施するための形態】
【００１２】
以下、本発明を実施するための形態について、図面を参照しながら説明する。
【００１３】
（第１の実施形態）
図１は、本発明の実施形態に係る画像出力装置１００のハードウェアブロック図である。
【００１４】
２００は、画像処理装置から着脱可能なメモリカードなどの記録媒体である。３００は、外部接続機器であるテレビなどの表示装置である。４００は、画像出力装置１００と表示装置３００とを接続するケーブルである。
【００１５】
１０１は、画像出力装置１００に装着されている記録媒体２００とのＩ／Ｆであり、ＤＲＡＭ１０１へデータを読み込むことが可能なＭｅｄｉａ  Ｉ／Ｆである。１０２は、ＤＲＡＭ（Ｄｙｎａｍｉｃ  Ｒａｎｄｏｍ  Ａｃｃｅｓｓ  Ｍｅｍｏｒｙ）であり、撮像装置１００のメインメモリである。画像データ、付加情報等を一時保持することが可能である。 
【００１６】
１０３は、記録媒体２００から読み込んだ画像データから輝度値の分布を表わすヒストグラムを算出する機能と、画像データを所定サイズ領域に分割し、その分割領域単位の輝度平均値を算出することが可能な輝度分布算出手段である。１０４は、記録媒体２００から読み込んだ画像データを所定色空間に変換することが可能な画像処理手段である。また、この画像処理手段１０４は所定サイズへリサイズすることも可能である。
【００１７】
１０５は、表示装置３００とケーブル４００を介して、画像データ、付加情報の送信、表示装置３００からの情報を受信するための外部機器Ｉ／Ｆである。１０６は、ＤＲＡＭ１０２に一時保持されている画像データを外部機器通信Ｉ／Ｆ１０５を介して、出力する画像出力手段である。
【００１８】
１０７は、画像出力手段１０６によって出力される画像データに関連した付加情報を、外部機器通信Ｉ／Ｆ１０５を介して出力する付加情報出力手段である。１０８は、外部機器通信Ｉ／Ｆ１０５を介して、外部機器からの情報を取得する外部機器情報取得手段である。
【００１９】
１０９は、ＤＲＡＭ１０２に一次保持されている画像データに、文字やアイコンを合成することが可能な画像合成手段である。１１０は、外部機器通信Ｉ／Ｆ１０５〜外部機器情報取得手段１０８との間でのデータを受け渡すための外部通信データバスである。１１１は、画像出力装置１００全体の制御をおこなうメインＣＰＵである。１１２は、ＣＰＵ１１１のプログラムが格納されているフラッシュメモリ（Ｆｌａｓｈ  Ｍｅｍｏｒｙ、半導体不揮発性メモリ）である。
【００２０】
１１３は、ＣＰＵ１１１のワークメモリであるＲＡＭ（Ｒａｎｄｏｍ  Ａｃｃｅｓｓ  Ｍｅｍｏｒｙ）である。１１４は、ユーザが画像出力装置１００の動作指示を行うためのボタン、十字キー、タッチパネル等の操作キーである。１１５は、ＣＰＵ１１１と、Ｆｌａｓｈ  Ｍｅｍｏｒｙ１１２、ＲＡＭ１１３、操作キー１１４を接続するプログラムバスである。１１６は、メインデータバスであり、各ブロックへ制御指示やＤＲＡＭ１０１へのアクセスは、このメインデータバスを経由して行われる。
【００２１】
画像出力装置１００における通常の画像出力動作は、記録媒体２００からＭｅｄｉａ  Ｉ／Ｆ１０１を介して、画像データをＤＲＡＭ１０２に読み込み、画像処理手段１０４によって画像処理する。画像処理された画像データを画像出力手段１０６が読み込み、外部機器通信Ｉ／Ｆ、ケーブル４００を介して表示装置４００へ送信される。
【００２２】
図２は、本発明の実施形態に係る画像出力装置１００における通常のマルチインデックス画像出力動作のイメージ図である。
【００２３】
まず、画像出力装置１００は、表示装置３００とケーブル４００によって接続されている。画像出力装置１００内に装着されている記録媒体２００には、画像Ａ〜Ｄが記録されており、それぞれ異なる色空間で記録されたものである。
【００２４】
色空間について、図３を用いて説明する。
【００２５】
図３は、ＣＩＥ（国際照明委員会）で承認された標準表色系「ＸＹＺ表色系（Ｙｘｙ表色系）」のｘｙ色度図であり、表示装置３００が表示可能な色空間が示されている。また、以下のものが図示されている。
・ＡＣＥＳ（Ａｃａｄｅｍｙ  Ｃｏｌｏｒ  Ｅｎｃｏｄｉｎｇ  Ｓｐｅｃｉｆｉｃａｔｉｏｎ）：ＡＭＰＡＳ（Ａｃａｄｅｍｙ  ｏｆ  Ｍｏｔｉｏｎ  Ｐｉｃｔｕｒｅ  Ａｒｔｓ  ａｎｄ  Ｓｃｉｅｎｃｅｓ）が定めた色空間
・ＤＣＩ−Ｐ３：Ｃｉｎｅｍａ  Ｉｎｉｔｉａｔｉｖｅｓ（ＤＣＩ）で定められた色空間
・ＩＴＵ−Ｒ  ＢＴ．２０２０：ＩＴＵが定めたＵＨＤＴＶ（Ｕｌｔｒａ  Ｈｉｇｈ  Ｄｅｆｉｎｉｔｉｏｎ  Ｔｅｌｅｖｉｓｉｏｎ）用の色空間
・ＩＴＵ−Ｒ  ＢＴ．７０９：ＩＴＵが定めた（Ｉｎｔｅｒｎａｔｉｏｎａｌ  Ｔｅｌｅｃｏｍｍｕｎｉｃａｔｉｏｎ  Ｕｎｉｏｎ）標準的な色空間
このとき、
ケーブル４００の送信フォーマット・・・ＩＴＵ−Ｒ  ＢＴ．７０９
画像Ａの色空間・・・ＩＴＵ−Ｒ  ＢＴ．７０９
画像Ｂの色空間・・・ＩＴＵ−Ｒ  ＢＴ．２０２０
画像Ｃの色空間・・・ＩＴＵ−Ｒ  ＢＴ．２０２０
画像Ｄの色空間・・・ＩＴＵ−Ｒ  ＢＴ．ＤＣＩ−Ｐ３
であるものとする。
【００２６】
画像出力装置１００における通常のマルチインデックス画像出力動作の場合、画像Ａ〜Ｄそれぞれに対し、画像処理手段１０４は送信フォーマットであるＩＴＵ−Ｒ  ＢＴ．７０９へ色空間変換がおこない、マルチインデックス画面を生成する。生成されたマルチインデックス画面は、ケーブル４００を介して表示装置３００へ送信される。表示装置３００では、送信フォーマットのＩＴＵ−Ｒ  ＢＴ．７０９を正確に表示するための色補正処理が行われたのちに表示される。
【００２７】
このとき、表示装置３００によって表示される画像Ｂ、画像Ｃ、画像Ｄは、ＩＴＵ−Ｒ  ＢＴ．７０９の色空間となり、本来もつ色空間の再現性が低いものとなる。結果として、表示装置３００で表示されるマルチインデックス画面では、
画像Ａ−１（画像Ａの表示画像）  色空間再現性：○（再現性が高い）
画像Ｂ−１（画像Ｂの表示画像）  色空間再現性：×（再現性が低い）
画像Ｃ−１（画像Ｃの表示画像）  色空間再現性：×（再現性が低い）
画像Ｄ−１（画像Ｄの表示画像）  色空間再現性：×（再現性が低い）
となる画像表示となる。
【００２８】
図４は、本発明に係る領域色補正情報付加マルチインデックス動作のイメージ図である。接続条件、記録媒体中の画像データ、色空間等は図２と同様であり、
ケーブル４００の送信フォーマット・・・ＩＴＵ−Ｒ  ＢＴ．７０９
画像Ａの色空間・・・ＩＴＵ−Ｒ  ＢＴ．７０９
画像Ｂの色空間・・・ＩＴＵ−Ｒ  ＢＴ．２０２０
画像Ｃの色空間・・・ＩＴＵ−Ｒ  ＢＴ．２０２０
画像Ｄの色空間・・・ＩＴＵ−Ｒ  ＢＴ．ＤＣＩ−Ｐ３
であるものとする。
【００２９】
画像出力装置１００における領域色補正情報付加マルチインデックス画像出力動作の場合、画像Ａ〜Ｄそれぞれに対し、画像処理手段１０４は送信フォーマットであるＩＴＵ−Ｒ  ＢＴ．７０９へ色空間変換がおこない、マルチインデックス画面を生成する。このとき色空間変換に用いた色変換係数と、マルチインデックス画面内の領域情報をまとめたものを領域色補正情報とし、画像単位に領域色補正情報を生成する。
【００３０】
生成されたマルチインデックス画面は、ケーブル４００を介して表示装置３００へ送信される。あわせて付加情報出力手段１０７によって画像分の領域色補正情報を送信する。
【００３１】
表示装置３００では、送信されたマルチインデックス画面と領域色補正情報を用いて領域単位に、色空間を元に戻す逆変換の色補正処理が行われたのちに表示される。
【００３２】
このとき、表示装置３００によって表示される画像Ｂ、画像Ｃ、画像Ｄは、送信フォーマットの色空間ＩＴＵ−Ｒ  ＢＴ．７０９から逆変換の色補正処理されることにより、本来もつ色空間へ変換され、再現性が高いものとなる。結果として、表示装置３００で表示されるマルチインデックス画面では、
画像Ａ−１（画像Ａの表示画像）・・・色空間再現性：○（再現性が高い）
画像Ｂ−１（画像Ｂの表示画像）・・・色空間再現性：○  （再現性が高い）
画像Ｃ−１（画像Ｃの表示画像）・・・色空間再現性：○  （再現性が高い）
画像Ｄ−１（画像Ｄの表示画像）・・・色空間再現性：○  （再現性が高い）
となる画像表示となる。
【００３３】
図４で説明した本発明の実施形態に係る領域補正情報を付加する場合について、図５を用いて説明する。図５中の画像Ａ〜Ｄは図２、図４で説明したものと同一とする。また、このときユーザによって画像Ｃが選択されているものとし、画像Ｃには選択枠が重畳されている。
【００３４】
図５は、画像出力装置１００から出力されるデータのイメージ図である。
【００３５】
図５において、出力データは水平サンプル（水平ブランキング＋水平アクティブ）のデータを、垂直ライン数（垂直ブランキング＋垂直アクティブ）分出力されることを示している。画像データは、水平アクティブ期間、且つ垂直アクティブ期間で送信される。水平ブランキング期間、または垂直ブランキング期間は画像データを転送していない。
【００３６】
本発明の実施形態に係る領域色補正情報は、付加情報出力手段１０７によって画像データを転送していないブランキング期間で送信する。例えば、図５では垂直ブランキング期間で、領域色補正情報を画像Ｃ、画像Ｂ、画像Ｄ分送信していることを示している。このとき、画像Ａは送信フォーマットであるＩＴＵ−Ｒ  ＢＴ．７０９と同一色空間の画像であるため、領域色補正情報を付加しなくてもよい。また、画像Ｃはユーザによって選択されている画像のため、優先順位が高いと判断され、送信順番が最初となっている。
【００３７】
図６は、図４および、図５を用いて説明した本発明に係る領域色補正情報付加マルチインデックス動作のフローチャートである。
【００３８】
マルチインデックス画像内に表示する画像枚数分処理したかを判断する（Ｓ６０１）。Ｓ６０１でＮｏと判断された場合、記録媒体２００から画像データをＭｅｄｉａ  Ｉ／Ｆ１０１を介してＤＲＡＭ１０２へ読み込む（Ｓ６０２）。
【００３９】
次に、Ｓ６０２で読み込んだ画像データに対して、ケーブル４００で送信するフォーマットに応じた色空間変換を、画像処理手段１０４を用いて行う（Ｓ６０３）。このとき、送信フォーマットの色空間と、元画像の色空間が同一の場合は色変換を行わない。
【００４０】
Ｓ６０３で変換された画像をＤＲＡＭ１０２上のマルチインデックス画像領域へ貼り付ける（６０４）。このとき、マルチインデックス画像の表示領域座標にあわせてリサイズして貼り付ける。
【００４１】
Ｓ６０３での色変換係数とＳ６０４で貼り付けた表示領域座標が格納された領域色補正情報を生成し、Ｓ６０１へ戻る（Ｓ６０５）。
【００４２】
Ｓ６０１でＹｅｓと判断された場合、Ｓ６０５で生成した領域色補正情報を画像枚数分、ブランキング期間に送信するように付加情報出力手段１０７へ指示する（Ｓ６０６）。このとき、ユーザに選択されている画像に対する領域色補正情報を最初に送信するように指示する。また、Ｓ６０３で色変換がおこなわれなかった画像に対する領域色補正情報は送信指示しないようにする。
【００４３】
Ｓ６０６で領域色補正情報の送信指示後に、生成したマルチインデックス画像を送信するように、画像出力手段１０６へ指示する。
【００４４】
図１〜図６を用いて述べたように、本発明に係る領域色補正情報付加マルチインデックス動作によって、送信する画面内の領域単位に色補正情報を付加して送信することで、表示装置側で領域単位に色補正をおこなうことが可能になり、コンテンツのもつ本来の色空間の再現性が向上する。
【００４５】
また、本実施形態では、マルチインデックス画面表示動作について述べたが、他の表示画面で領域補正情報を付加して画像を送信してもよい。
【００４６】
また、送信する画面内に含まれる画像枚数に応じて領域補正情報を付加するように動作してもよい。例えば、表示する枚数が多く、ブランキング期間内に画像枚数分の色補正情報を付加できない場合には、領域色補正情報付加マルチインデックス動作をおこなわず、通常のマルチインデックス動作をおこなってもよい。
【００４７】
また、送信する画面内に含まれる画像のサイズに応じて領域補正情報を付加するように動作してもよい。例えば、表示するサイズが小さく、色補正する必要がない画面と判断した場合に、通常のマルチインデックス動作に切り替えてもよい。
【００４８】
（第２の実施形態）
次に、第２の実施形態について説明する。なお、以下で説明する第二実施形態おける装置構成については、第一実施形態と同様であるため、その説明を省略する。
【００４９】
第２の実施形態として、本発明に係る外部機器能力に応じたマルチインデックス動作について説明する。接続条件、記録媒体中の画像データ、色空間等は、第１の実施形態で説明した図２と同様であり、
ケーブル４００の送信フォーマット・・・ＩＴＵ−Ｒ  ＢＴ．７０９
画像Ａの色空間・・・ＩＴＵ−Ｒ  ＢＴ．７０９
画像Ｂの色空間・・・ＩＴＵ−Ｒ  ＢＴ．２０２０
画像Ｃの色空間・・・ＩＴＵ−Ｒ  ＢＴ．２０２０
画像Ｄの色空間・・・ＩＴＵ−Ｒ  ＢＴ．ＤＣＩ−Ｐ３
である。
【００５０】
画像出力装置１００と表示装置３００がケーブル４００を介して接続されると、外部機器通信Ｉ／Ｆ１０５、および外部機器情報取得手段１０８を介して、表示装置３００の性能情報を取得する。このとき取得する性能情報は領域色補正情報対応の有無、領域色補正可能数とする。
【００５１】
以下、取得した外部機器性能情報に応じた領域色補正情報付加マルチインデックス動作について、図を用いて説明する。
【００５２】
図７は、外部機器能力に応じて警告表示をする場合のマルチインデックス動作のイメージ図である。
【００５３】
まず、表示装置３００から取得した性能情報から、領域色補正情報が未対応の表示装置であることが検出されたものとする。この場合、第１の実施形態で説明した領域色補正情報付加マルチインデックス動作は行わず、通常マルチインデックス画面生成の動作が行わる。このとき、色空間再現性の低い画像Ｂ−７、画像Ｃ−７、および画像Ｄ−７に対して、画像合成手段１０９を用いて再現性が低いことを視聴者に通知する警告表示アイコンを、生成されたマルチインデックス画面に合成して送信する。
【００５４】
このように、表示装置３００から取得した性能情報に応じて色再現性の低い画像に対しては警告表示アイコンを重畳してから出力することで、ユーザに通知することが可能となる。
【００５５】
図８は、外部機器能力に応じて領域色補正情報数を変更する場合のマルチインデックス動作のイメージ図である。まず、表示装置３００から取得した性能情報から、領域色補正情報として、
・領域色補正情報対応  ○
・領域色補正可能数  ２
であることが検出されたものとする。
【００５６】
この場合、第１の実施形態で説明した領域色補正情報付加マルチインデックス動作が行われる。このとき、領域色補正可能数が２であるため、送信する領域色補正情報は優先度の高い、画像Ｂ、画像Ｃの領域色補正情報のみを送信するようにする。送信しなかった画像Ｄに対しては、図７で説明した警告表示アイコンを合成し、マルチインデックス画面を送信する。
【００５７】
このように、表示装置３００から取得した性能情報に応じて、付加送信する領域色補正情報数を制御し、色再現性の低い画像に対しては警告表示アイコンを重畳してから出力することで、表示装置での色再現性の向上と、再現性の低い画像に関してはユーザに通知することが可能となる。
【００５８】
また、本実施形態では領域色補正可能数に応じた領域色補正情報数と警告表示アイコンの合成をおこなったが、警告表示アイコンを合成しないようにマルチインデックス画面内の画像数を減らしてもよい。
【符号の説明】
【００５９】
１００  画像出力装置、２００  記録媒体、３００  表示装置、４００  ケーブル
【図１】
2020101721.tif 000003
【図２】
2020101721.tif 000004
【図３】
2020101721.tif 000005
【図４】
2020101721.tif 000006
【図５】
2020101721.tif 000007
【図６】
2020101721.tif 000008
【図７】
2020101721.tif 000009
【図８】
2020101721.tif 000010